(57)【要約】【課題】  クライアント機器側からサーバ側へのデータの伝送を行なう際に、ユーザが簡単にデータ伝送状況を確認できる技術を提供する。【解決手段】  ネットワークを介してクライアントが出力したデータの受信を制御するネットワーク制御部と、前記ネットワーク制御部において受信したデータを記録する記録媒体を制御する記録媒体制御部と、前記記録媒体に記録されたデータを表示部に出力させる表示制御部と、前記表示制御部を制御するシステム制御部と、を備える映像や音声をデジタル化して記録再生するネットワーク機能を有する記録再生装置であって、前記システム制御部は、前記クライアントから出力されたデータの前記記録媒体への記録の進抄状況を前記表示制御部により前記表示部に表示させる。【選択図】  図１
2009088740.tif 000002
【特許請求の範囲】
【請求項１】
ネットワークを介してクライアントが出力したデータの受信を制御するネットワーク制御部と、
前記ネットワーク制御部において受信したデータを記録する記録媒体を制御する記録媒体制御部と、
前記記録媒体に記録されたデータを表示部に出力させる表示制御部と、
前記表示制御部を制御するシステム制御部と、
を備える映像や音声をデジタル化して記録再生するネットワーク機能を有する記録再生装置であって、
前記システム制御部は、前記クライアントから出力されたデータの前記記録媒体への記録の進抄状況を前記表示制御部により前記表示部に表示させることを特徴とすることを記録再生装置。
【請求項２】
前記システム制御部は、前記表示制御部に前記クライアントから出力されたデータの前記記録媒体への伝送の進抄状況を伝送開始から伝送終了まで表示させることを特徴とする請求項１に記載の記録再生装置。
【請求項３】
前記記録媒体制御部が複数のクライアントから出力された各データを前記記録媒体に記録させる際に、前記システム制御部は、前記表示制御部に前記複数のクライアントから出力された各データの前記記録媒体への記録の進抄状況を前記表示部に表示させるようにすることを特徴とする請求項１に記載の記録再生装置。
【請求項４】
スピーカと、
前記スピーカを制御する音声制御回路を備え、
前記システム制御部は、前記クライアントから出力されたデータの前記記録媒体への記録が終了した際には、前記音声制御回路にデータの伝送が終了した旨を知らせる音声を前記スピーカから出力させるようにすることを特徴とする請求項１から請求項３の何れか一項に記載の記録再生装置。
【請求項５】
前記システム制御部は、
前記複数のクライアントから出力されたデータの前記記録媒体への記録がデータ毎の伝送が終了する毎に前記音声回路制御部に前記スピーカよりその旨を知らせる音声を出力させ、前記複数のクライアントから出力された全てのデータの前記記録媒体への記録が終了した場合には、データ毎の伝送が終了したことを知らせる音声と異なる音声を前記音声回路制御部に前記スピーカより出力させることを特徴とする請求項４に記載の記録再生装置。
【請求項６】
ネットワークを介してクライアントが出力したデータを受信する受信ステップと、
前記受信ステップにおいて受信したデータを記録する記録媒体に記録する記録ステップと、
前記クライアントから受信したデータの前記記録媒体への進抄状況を表示する進抄状況表示ステップと、
を備えることを特徴とするデータの記録再生装置への記録状況を記録状況表示方法。
【発明の詳細な説明】
【技術分野】
【０００１】
本発明は、ネットワーク接続するための通信手段を持つ映像や音声を記録再生可能な記録再生装置に関する。
【背景技術】
【０００２】
パーソナルコンピュータ、AV機器、情報家電機器等様々な機器で扱われる映像や音声データがデジタル化されている。また、インターネット等のネットワークインフラも整備され、ネットワークへ接続可能な機器を利用するユーザも増加している。
【０００３】
従来、サーバ機能を有するネットワーク接続機器では、伝送状況を表示するものはなかった。これは、一般的に操作画面を有するのがクライアント側であるためである。
【０００４】
例えば、特開２００７−１６６３６５号公報（以下、「特許文献１」という）においては、デジタルテレビ受信機の画面に表示するＶＯＤ操作情報を、ＶＯＤサービスプロバイダ毎に変更可能な表示方法に関する技術が開示されている。
【０００５】
【特許文献１】特開２００７−１６６３６５号
【発明の開示】
【発明が解決しようとする課題】
【０００６】
かかる技術でも、サーバがインターネットプロバイダ側にあり、ユーザがクライアント機器より操作してアクセスする場合は支障がない。しかし、家庭内で利用するような、例えば、カメラとテレビとの接続については、主となる操作はテレビであっても、バックアップ用途でのデータ（以下、特に明示しない場合コンテンツデータを示すので、「コンテンツ」と記す）伝送中はテレビでの視聴は続けたいと考えられる。そこで、ユーザが簡単にデータ伝送状況を確認できるようにする必要がある。
【課題を解決するための手段】
【０００７】
上記課題を解決するため、例えば、ネットワークを介してクライアントが出力したデータの受信を制御するネットワーク制御部と、前記ネットワーク制御部において受信したデータを記録する記録媒体を制御する記録媒体制御部と、前記記録媒体に記録されたデータを表示部に出力させる表示制御部と、前記表示制御部を制御するシステム制御部と、を備える映像や音声をデジタル化して記録再生するネットワーク機能を有する記録再生装置であって、前記システム制御部は、前記クライアントから出力されたデータの前記記録媒体への記録の進抄状況を前記表示制御部により前記表示部に表示させるという構成をとる。
【発明の効果】
【０００８】
本発明により、ユーザは、ネットワーク経由によるコンテンツの伝送の状況を、サーバ機器側の画面や、音声で確認でき、クライアント機器側の画面表示をクライアント機器側機能専用に利用させることができる。これにより、ユーザのネットワーク機器の利用形態に幅を与えることができる。
【発明を実施するための最良の形態】
【０００９】
以下において、図面を用いて本発明の実施例につき説明する。なお、本発明は図示例に限定されるものではない。
【実施例１】
【００１０】
先ず、図１は本発明を適用した一実施形態である記録再生装置と、ネットワークとの接続を示す構成図である。図１において、１００はサーバ機能を持つカメラ（以下カメラと記す）、１０１はクライアント、１０２はネットワークを示す。システム制御回路１０３はCPUやメモリを持ち、システム全体を制御する。図示はしないが、一般的にユーザがボタン等を操作する際の入力情報も、システム制御回路１０３が処理する。１１２のカメラ制御回路は撮影した映像音声データを取得し、CODEC(COmpression/DECompression)回路１０５へデータを渡す。１０５のCODEC回路は、必要に応じてMPEG(Moving Picture Experts Group)やJPEG(Joint Photographic coding Experts Group)と言った映像、音声情報の圧縮を行う。
【００１１】
これらの映像音声データや、外部入力端子１１４からの入力信号を外部入力回路１０４が所望の信号変換処理を行い得られた映像音声データは、必要に応じて、CODEC回路１０５にて圧縮され、記録制御回路１０６にて、記録媒体１０７のHDD(Hard Disk Drive)や、記録媒体１１５のBD(BLU-RAY DISC)（登録商標）やDVD(Digital Versatile Disc)に記録される。なお、本実施形態において、書き込むための記録媒体は、HDDや、DVDであるものとして説明をするが、本発明はこれに限らず、リムーバル用途での利用を想定した、セキュリティ機能に対応したHDD、光磁気ディスク、半導体メモリなど、情報を記録する記録媒体に適応することができる。
【００１２】
また、扱う映像音声情報が著作権保護の必要がある場合などは、上記のような記録媒体に記録する前に、暗号化/復号化回路１１１にて暗号化/復号化鍵を生成し、暗号化してから記録する。
【００１３】
記録時の映像音声データ、再生時に記録媒体１０７、１０９から記録制御回路１０６が読み出したデータを、必要に応じて暗号化/復号化回路１１１にて復号化し、CODEC回路１０５にてデコード(伸張)処理したデータを、映像については表示制御回路１０８にて表示装置１０９へ出力し、音声については音声制御装置１１３にてスピーカ１１６にて出力する。音声制御回路１１３は、暗号化/復号化回路１１１にて復号化した音声だけでなく、操作音、警告用のビープ音等も出力する。
【００１４】
表示制御回路１０８は、暗号化/復号化回路１１１にて復号化した映像だけでなく、グラフィックやテキストと言ったOSD(On Screen Display)も重畳させて表示する。ネットワーク制御回路１１０は、前記映像音声データをネットワーク経由で伝送する処理を行う。これにより、カメラ１００の扱うデータを書き出しあるいは読み出すために、ネットワーク接続されるクライアント１０１へ送出することが可能となる。
【００１５】
図２は、本発明を適用した一実施形態であるカメラにおいて表示される、ネットワーク機能実行時の画面例について示したものである。
【００１６】
図２において、（１）はネットワーク機能実行時の画面で、コンテンツ伝送を２００は表示装置１０９（詳細は図示しないが、カメラの例では、ビューファインダーや液晶パネルが一般的である。）に表示される画面を示す。２０１は動画記録モードを示すアイコン表示を示す。２０２は記録先の媒体、画質モードを示すアイコン表示を示す。２０３は、録画中、録画停止中等を示すアイコン表示を示す。前述の表示は既知のカメラでの表示である。２０４は、ネットワーク接続中であることを示すアイコン表示である。コンテンツ伝送中はこのアイコンの色が変わる。２０５は、サーバ機能が有効であることを示す表示である。これは、アイコン表示であっても良い。
【００１７】
図２において、（２）はネットワーク機能実行時で、特に１つのコンテンツを伝送中の画面を示したものである。２０６は、コンテンツを伝送していることを示すメッセージ表示である。２０７は、現在伝送中のコンテンツのタイトル等を示す。２０８は、コンテンツの伝送量を百分率で示したものである。２０９は、２０８の情報をバーグラフ表示したものである。２０８と２０９は、伝送状況を適宜表示更新される。伝送が完了するとユーザ設定により効果音が出力される設定であればビープ音を鳴らし、本画面から（１）に示した定常状態の画面へ戻る。
【００１８】
図２において、（３）はネットワーク機能実行時で、複数のコンテンツを同時に伝送中の画面を示したものである。コンテンツを伝送していることを示すメッセージ表示は（２）と同様である。２１０に現在伝送中のコンテンツのタイトル等を示す。２１１は、コンテンツの伝送量を夫々百分率で示したものである。２１２は、２１１の情報を夫々バーグラフ表示したものである。
【００１９】
２１１と２１２は、伝送状況を適宜表示更新される。２１３は、スクロールボタンを示し、コンテンツ伝送項目が多くなり（本画面例では３コンテンツを超えた場合）ユーザ操作により他の伝送中コンテンツの項目表示へ切り替えることができる。夫々のコンテンツ伝送が完了するとユーザ設定により効果音が出力される設定であればビープ音を鳴らし、全てのコンテンツ伝送が完了した場合別のビープ音を鳴らし、本画面から（１）に示した定常状態の画面へ戻る。
【００２０】
上述により、ユーザに現在の動作状況を示すことができ、コンテンツの伝送を完了したことを知らせることができる。
【００２１】
図３は、本発明を適用した一実施形態であるカメラにおいて、ネットワーク接続構成を示す。
【００２２】
３００はサーバ機能を有するカメラを示し、３０１はディスク型の記録媒体、３０２はHDDを示す。これらは、固定型であってもリムーバル型であっても良いし、半導体メモリ等の記録媒体でも良い。３０３、３０４、３０５はクライアントを示し、ここでは説明のため３０３をクライアントＡ、３０４をクライアントＢ、３０５をクライアントＣとする。３０５はネットワークを示す。カメラ３００からクライアントＡ３０３へのみコンテンツを伝送している場合は、前述の図２（２）の画面が表示される。カメラ３００からクライアントＡ３０３、クライアントＢ３０４、クライアントＣ３０５へコンテンツを伝送している場合は、前述の図２（３）の画面が表示される。
【００２３】
次に、本発明を適用した一実施形態であるカメラにおいて、コンテンツ伝送時の動作フローについて、図４を用いて説明する。ここでは、ネットワーク接続状態でかつサーバ機能が有効時の処理フローを示す。
【００２４】
クライアントからのコンテンツ伝送要求により処理が開始される。Ｓ４００では、システム制御回路１０３が、ネットワーク制御回路１１０にてクライアントからのコンテンツ要求の内容を取得し、システム制御回路１０３が、サーバ機能が有効と判断した場合、コンテンツ伝送処理を継続する。システム制御回路１０３が、Ｓ４０１にてコンテンツの伝送が完了していないと判断した場合、コンテンツ伝送処理を継続する。Ｓ４０２にて、システム制御回路１０３がコンテンツ伝送状況から表示制御回路１０８にてプログレスバー表示（図２（２）もしくは（３））を行う。
【００２５】
続いて、Ｓ４０３では、システム制御回路１０３が、記録制御回路１０６経由でディスク媒体１１５やHDD１０７からコンテンツを読み出す。更に、Ｓ４０４では、システム制御回路１０３が、ネットワーク制御回路１１０にてサーバへコンテンツデータを送信する。システム制御回路１０３が、Ｓ４０１にてコンテンツの伝送が完了したと判断した場合、Ｓ４０５にて全てのコンテンツ伝送が完了したかを判断し、完了していない場合、Ｓ４０６にて音声制御回路１１３がコンテンツ伝送終了をユーザに知らせる伝送終了音声出力を行い、Ｓ４０２以降のコンテンツ伝送を継続する。
【００２６】
Ｓ４０５にて全てのコンテンツ伝送が完了したかを判断し、完了した場合、Ｓ４０７にて音声制御回路１１３がコンテンツ伝送終了をユーザに知らせる伝送終了音声出力（Ｓ４０６と同じ音声あるいは違う音声出力）を行い、Ｓ４０８では表示制御回路１０８にてプログレスバー表示を消去し、定常状態の画面表示を行う。図示しないが、Ｓ４０６、Ｓ４０７は、ユーザの設定により音声出力されなくても良い。また、コンテンツ伝送開始時にもＳ４０６、Ｓ４０７に示した音声出力を行っても良い。
【００２７】
以上より、サーバ機能を有するネットワーク接続機器において、コンテンツの伝送状況やその終了を、ユーザが簡単に確認できる機能を実現できる。
【図面の簡単な説明】
【００２８】
【図１】図１は、本発明の一実施形態であるカメラの構成図である。
【図２】図２は、本発明の一実施形態であるカメラで扱う、表示画面の例を示した図である。
【図３】図３は、本発明の一実施形態であるカメラで扱う、ネットワーク接続構成を示した図である。
【図４】図４は、本発明の一実施形態であるカメラで扱う、コンテンツ伝送時の動作フローを示した図である。
【符号の説明】
【００２９】
１００…カメラ、１０１…クライアント、１０２…ネットワーク、１０３…システム制御回路、１０４…外部入力制御回路、１０５…CODEC回路、１０６…記録制御回路、１０７…HDD、１０８…表示制御回路、１０９…表示装置、１１０…ネットワーク制御回路、１１１…暗号化／復号化回路、１１２…カメラ制御回路、１１３…音声制御回路、１１４…外部入力端子、１１５…BD/DVD、１１６…スピーカ。
【図１】
2009088740.tif 000003
【図２】
2009088740.tif 000004
【図３】
2009088740.tif 000005
【図４】
2009088740.tif 000006